【手続補正書】
【提出日】平成30年2月5日(2018.2.5)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
ユーザ機器(UE)において、前記UEのサービングセルとは異なるデータベース中のセルのための測定イベントの探索期間を決定するステップであって、前記探索期間が、前記サービングセルから受信された送信間隔パターンシーケンス(TGPS)情報に少なくとも一部基づいて決定される、ステップと、
前記UE中の前記データベース中の前記セルから候補セルを選択するステップと、
前記UEにおいて、前記候補セルと関連付けられる複数の測定報告イベントtime-to-trigger(TTT)の中で最小の測定報告イベントTTTを決定するステップと、
前記候補セルと関連付けられる前記探索期間および前記最小の測定報告イベントTTTに少なくとも一部基づいて、前記候補セルのためのセル不検出回数除去閾値を適応的に決定するステップであって、前記セル不検出回数除去閾値が、前記UEによって前記候補セルが検出されるべきであったが前記UEによって検出されなかった連続するセル探索の最大の回数である、ステップと。
前記候補セルのための前記セル不検出回数除去閾値に達すると、前記UE中の前記データベースから前記候補セルを取り除くステップと、
を備える、方法。
【請求項２】
前記データベース中の前記セルが、前記UEの前記サービングセルの1つまたは複数の隣接セルを備える、請求項1に記載の方法。
【請求項３】
前記セル不検出回数除去閾値が、
セル不検出回数除去閾値 = min{最大の閾値、max{最小の閾値, ceil(min{イベントx TTT}/検出周期)}}という式に従って決定され、
min{N, M}がNとMの小さい方であり、max{N, M}がNとMの大きい方であり、ceil(N)がN以上の最も近い整数値であり、イベントx TTTがイベント1x TTT、イベント2x TTT、またはイベント3x TTTを含み、検出周期が探索期間であり、NおよびMが数値であり、最大の閾値および最小の閾値が前記セル不検出回数除去閾値のための整数パラメータである、請求項1に記載の方法。
【請求項４】
前記UEの前記サービングセルが、広帯域符号分割多元接続(WCDMA)セルである、請求項1に記載の方法。
【請求項５】
前記候補セルが、WCDMA(登録商標）セル、Global System for Mobile communication(GSM(登録商標）)セル、またはLong Term Evolution(LTE)セルである、請求項1に記載の方法。
【請求項６】
前記探索期間の前記決定が、前記UEの圧縮モード間隔パターンに一部基づく、請求項1に記載の方法。
【請求項７】
ワイヤレス通信のための装置であって、
ユーザ機器(UE)において、前記UEのサービングセルから受信された送信間隔パターンシーケンス(TGPS)情報に一部基づいて、前記サービングセルとは異なるデータベース中のセルのための測定イベントの探索期間を決定するための手段と、
前記UE中の前記データベース中の前記セルから候補セルを選択するための手段と、
前記UEにおいて、前記データベース中の前記候補セルと関連付けられる複数の測定報告イベントtime-to-trigger(TTT)の中で最小の測定報告イベントTTTを決定するための手段と、
前記候補セルと関連付けられる前記探索期間および前記最小の測定報告イベントTTTに少なくとも一部基づいて、前記候補セルのためのセル不検出回数除去閾値を適応的に決定するための手段であって、前記セル不検出回数除去閾値が、前記UEによって前記候補セルが検出されるべきであったが検出されなかった連続する探索の最大の回数である、手段と、
前記候補セルのための前記セル不検出回数除去閾値に達すると、前記UE中の前記データベースから前記候補セルを取り除くための手段と、
を備える、装置。
【請求項８】
前記データベース中の前記セルが、前記UEの前記サービングセルの1つまたは複数の隣接セルを備える、請求項7に記載の装置。
【請求項９】
前記セル不検出回数除去閾値が、
セル不検出回数除去閾値 = min{最大の閾値、max{最小の閾値, ceil(min{イベントx TTT}/検出周期)}}という式に従って決定され、
min{N, M}がNとMの小さい方であり、max{N, M}がNとMの大きい方であり、ceil(N)がN以上の最も近い整数値であり、イベントx TTTがイベント1x TTT、イベント2x TTT、またはイベント3x TTTを含み、検出周期が探索期間であり、NおよびMが数値であり、最大の閾値および最小の閾値が前記セル不検出回数除去閾値のための整数パラメータである、請求項7に記載の装置。
【請求項１０】
前記UEの前記サービングセルが、広帯域符号分割多元接続(WCDMA(登録商標）)セルである、請求項7に記載の装置。
【請求項１１】
前記探索期間を決定するための前記手段が、前記UEの圧縮モード間隔パターンに一部基づく、請求項7に記載の装置。
【請求項１２】
コンピュータ実行可能コードを記憶しているコンピュータ可読記憶媒体であって、
プロセッサに、ユーザ機器(UE)のサービングセルから受信された送信間隔パターンシーケンス(TGPS)情報に少なくとも一部基づいて、前記サービングセルとは異なるデータベース中のセルのための測定イベントの探索期間を決定させるためのコードと、
前記プロセッサに、前記データベース中の前記セルから候補セルを選択させるためのコードと、
前記プロセッサに、前記候補セルと関連付けられる複数の測定報告イベントtime-to-trigger (TTT)の中で最小の測定報告イベントTTTを決定させるためのコードと、
前記プロセッサに、前記候補セルと関連付けられる前記探索期間および前記最小の測定報告イベントTTTに少なくとも一部基づいて、前記候補セルのためのセル不検出回数除去閾値を適応的に決定させるためのコードであって、前記セル不検出回数除去閾値が、前記UEによって前記候補セルが検出されるべきであったが検出されなかった連続する探索の最大の回数である、コードと、
前記候補セルのための前記セル不検出回数除去閾値に達すると、前記プロセッサに、前記UE中の前記データベースから前記候補セルを取り除かせるためのコードと、
を備える、コンピュータ可読記憶媒体。
【請求項１３】
前記データベース中の前記セルが、前記UEの前記サービングセルの1つまたは複数の隣接セルを備える、請求項12に記載のコンピュータ可読記憶媒体。
【請求項１４】
前記セル不検出回数除去閾値が、
セル不検出回数除去閾値 = min{最大の閾値、max{最小の閾値, ceil(min{イベントx TTT}/検出周期)}}という式に従って決定され、
min{N, M}がNとMの小さい方であり、max{N, M}がNとMの大きい方であり、ceil(N)がN以上の最も近い整数値であり、イベントx TTTがイベント1x TTT、イベント2x TTT、またはイベント3x TTTを含み、検出周期が探索期間であり、NおよびMが数値であり、最大の閾値および最小の閾値が前記セル不検出回数除去閾値のための整数パラメータである、請求項12に記載のコンピュータ可読記憶媒体。
【請求項１５】
前記装置の前記サービングセルが、広帯域符号分割多元接続(WCDMA(登録商標）)セルであり、前記候補セルが、WCDMA(登録商標）セル、Global System for Mobile communication(GSM(登録商標）)セル、またはLong Term Evolution(LTE)セルである、請求項12に記載のコンピュータ可読記憶媒体。